(57)【特許請求の範囲】
【請求項１】
使用者の膣内に挿入して使用者の膣筋肉を鍛錬するための膣筋肉鍛錬器であって、
女性の使用者の膣内に挿入可能になされた弾性中空チューブ（１）と、前記弾性中空チューブ（１）の内表面に取り付けられ、内部に流体が密閉された密閉室を形成する蓋部材（７）と、を備え、
前記密閉室は、周囲表面が前記密閉室の内部表面に取り付けられた分割部材（４）と、前記分割部材（４）の中心孔内に回転可能に取り付けられた支柱（２）を備え、
前記分割部材（４）は、前記密閉室を２つの内部室に分けるとともに、前記２つの内部室を結合する少なくとも一つの制動孔（４'）を備えており、
抵抗力調整部材（５）が、前記分割部材（４）と互いに密接して、異なる個数の前記制動孔（４'）を塞ぐことができるように、前記支柱（２）に取り付けられて回転可能にされており、かつ、
前記分割部材（４）は少なくとも一つの制動孔（４"）と、前記制動孔（４"）内に挿入されるように形成された制動部材（１０）とを備え、前記分割部材（４）の前記制動孔（４"）及び前記制動部材（１０）は互いに円錐形状の表面を有しており、
前記弾性中空チューブ（１）内の流体が使用者の膣筋肉によって圧縮された際に前記内部室の一方から前記制動孔（４'）及び前記制動部材（１０）が挿入された制動孔（４"）を通って前記内部室の他方へ移動するとき、使用者の膣筋肉による圧縮に対して弾性抵抗を与えることができるようになされていることを特徴とする膣筋肉鍛錬器。
【請求項２】
前記制動部材（１０）は少なくとも１つの制動孔（１０'）を備えていることを特徴とする請求項１に記載の膣筋肉鍛錬器。
【請求項３】
使用者の膣内に挿入して使用者の膣筋肉を鍛錬するための膣筋肉鍛錬器であって、
女性の使用者の膣内に挿入可能になされた弾性中空チューブ（１１）であって、前記使用者は前記弾性中空チューブ（１１）の一部を圧縮することによって前記使用者の膣筋肉を鍛錬することができる前記弾性中空チューブ（１１）と、
前記弾性中空チューブ（１１）の内表面に取り付けられ、内部に流体が密閉された密閉室を形成する蓋部材（７）と、
前記密閉室に回転可能に取り付けられた支柱（１３）を備え、
前記弾性中空チューブ（１１）は前記弾性中空チューブ（１１）内に少なくとも２つの半楕円状部材（１２、１４）を備え、
前記半楕円状部材（１２、１４）のそれぞれは端部が前記支柱（１３）によって互いに結合されて、使用者の膣筋肉による圧縮に対して弾性抵抗を与えることができるようになされていることを特徴とする膣筋肉鍛錬器。
【発明の詳細な説明】
【技術分野】
【０００１】
本発明は、女性の性的応答に関与する筋肉群である、女性の膣筋肉を鍛錬するための鍛錬器に関する。
【背景技術】
【０００２】
現在、子供を産んだことに起因する膣の緩みを解決する方法として、手術を行うことが知られている。しかし、この方法は患者に痛みを与え、女性の膣の周囲の筋肉を強化することはできず、しかも、高い費用がかかる。現在のところ、膣筋肉用の有効な鍛錬器は知られていない。
【先行技術文献】
【特許文献】
【０００４】
【特許文献１】
米国特許第４５７４７９１号明細書
【特許文献２】
米国特許第４６８７００２号明細書
【特許文献３】
米国特許公開第２００２／０１４２８９５号公報
【特許文献４】
米国特許公開第２００２／０１４２８９６号公報
【特許文献５】
米国特許第４０５０４４９号明細書
【特許文献６】
米国特許第５８６５７１５号明細書
【特許文献７】
米国特許第５５３１２２６号明細書
【特許文献８】
ドイツ国実用新案第２９９１０７３２号明細書
【発明の開示】
【発明が解決しようとする課題】
【０００５】
本発明の目的は、女性の使用者が自分の膣筋肉に異なる抵抗力を与えることができ、膣筋肉の緩みの問題を解決し、それによって性的感覚を改善させることができる鍛錬器を提供することにある。
【課題を解決するための手段】
【０００７】
好ましい一態様では、本発明の女性用膣筋肉鍛練器は、蓋部材、弾性中空チューブ及び流体を備えている。蓋部材は、弾性中空チューブの内側に結合され、内部にある流体をシールするように密閉室を形成する。この密閉室は分割部材を有し、この分割部材の周囲の表面は密閉室の内部表面に取り付けられている。この分割部材は密閉室を２つの室に分割する。
【０００８】
本発明の改良された女性用膣筋肉鍛練器によれば、密閉室は支柱を備え、この支柱は分割部材の中心孔内に回転可能に結合されている。また、分割部材は支柱に固定された抵抗力調整部材にも取り付けられている。抵抗力調整部材及び分割部材は互いに密接した表面を有している。
【０００９】
鍛錬時には、使用者は本発明の鍛錬器を膣に入れ、膣筋肉でチューブを収縮させるようにし、それから膣筋肉を弛緩させる。その後、この収縮及び弛緩を繰り返す。
【００１０】
使用者がチューブを収縮させようとするとき、使用者は膣筋肉で鍛錬器の抵抗力を克服する必要がある。このようにして膣の筋肉はより強くなり、鍛錬が行われる。
【００１１】
膣筋肉の鍛練効果を向上させるために、同じ使用者に数種の直径が異なる鍛練器を提供することもできる。この場合特に子供を出産したばかりの若い母親に有用である。使用者は異なった鍛錬段階において自身の状況に応じて異なるチューブを選択して使用することができる。そうすることによって、使用者は収縮力を変えることができ、また、使用者の膣の大きさに応じて適切な大きさのチューブを選択することができる。膣の緩みの問題を抱えている人にとっては、初期の段階では直径が比較的大きなチューブを用いられる。膣筋肉が鍛錬されたグループでは、直径が比較的小さいチューブが用いられる。
【００１２】
鍛錬器の一定の形状を維持し、使用者が膣内に鍛錬器を入れることができるようにするため、支柱はエンジニアリングプラスチックのような硬質な材料から作製され、チューブ内に設けられる。チューブを膣内に容易に挿入することができるように、水又はビタミンＥのような潤滑剤がチューブの表面に塗布される。チューブの形状は男の人の陰茎のような形状とすることもできる。
【図面の簡単な説明】
【００２３】
【図１】本発明の参考例の縦断面図である。
【図２】本発明の実施例１の縦断面図である。
【図３】図２の符号４の部分の拡大断面図である。
【図４】図２の符号５の右側面図である。
【図５】本発明の実施例２の縦断面図である。
【図６】図５の符号１２の部分の側面図である。
【発明を実施するための形態】
【００１３】
本発明を実施例及び図面を参照して説明する。図１は参考例の縦断面図である。図２は本発明の第１の実施例の縦断面図である。図３は図２の符号４の部分の拡大断面図である。図４は図２の符号５の部分の右側面図である。図５は本発明の第２の実施例の縦断面図である。図６は図５の符号２の部分の側面図である。
【００１４】
［参考例］
図１に示す参考例の鍛錬器においては、弾性中空チューブ１は円柱管状であり、左端の突起は陰茎を模するために半球形とされている。支柱２はシャフトであり、その左端は円弧状に形成され、右端は弾性中空チューブ１と接着されて密閉室を形成している。流体は弾性中空チューブ１内に密閉されている。支柱２は鍛錬器の一定な形を維持し、それによって使用者が膣に鍛錬器を入れることができるようにする。膣の筋肉群が弾性中空チューブ１を収縮する時、鍛錬器の抵抗力は弾性中空チューブ１の弾性変形と弾性中空チューブ１内に封入されている流体から発生する。弾性中空チューブ１は、ゴム、シリコンゴム及びプラスチックのいずれかから作製できる。弾性中空チューブ１の外側部材に手動により与えられた圧力の変化は、鍛錬器の抵抗力の変化をもたらす。
【実施例１】
【００１５】
実施例１の鍛錬器が図２〜４に示されている。この実施例１の鍛錬器においては、弾性中空チューブ１には蓋部材７が接着され、この蓋部材７は、支柱２、リテイナー６、及びシール８と共にて密閉室を形成している。分割部材４は、制動穴４'を備え、弾性中空チューブ１の内面に接着されている。支柱２シャフトであり、その左端は弾性中空チューブ１の左端を保護するシェルとして形成されている。抵抗力調整部材５はリテイナー３及びリテイナー６によって支柱２に固定されている。
【００１６】
抵抗力調整部材５及び分割部材４は同形状の界面で密に接している。抵抗力調整部材５は少なくとも一つの隙間を備えている。分割部材４は支柱２にリテイナー３及び抵抗力調整部材５によって固定されている。蓋部材及びシール８はリテイナー６によって長さ方向に固定されている。シール８は支柱２が蓋部材７内で回転する間に内部の流体が漏れないようにする。
【００１７】
図３に示したように、制動要素１０は円錐形である。この制動要素１０は分割部材４の円錐形の制動孔４"内に固定されている。制動要素１０は制動孔１０'を備えている。制動要素１０は十字形状のリテイナー９によって分割部材４の円錐形の制動孔４"内に固定されている。
【００１８】
膣筋肉が弾性中空チューブ１の左側の室を収縮すると、制動要素１０は左側の室内の流体によって分割部材４の円錐形の制動孔４"内に押される。左側の室の流体は制動要素１０の制動孔１０'を通って弾性中空チューブ１の右側の室に押し出される。それによって、この態様においては、抵抗力は主として制動孔１０'によって流体が制動されることによって生じる。
【００１９】
制動要素１０及び分割部材４の界面が円錐形状であることから、手動で弾性中空チューブ１の右側の室を加圧して流体が右側の室から左側の室に流れるようにすると、制動要素１０はリテイナー９の左側の位置に移動する。この状態においては、分割部材４を通り抜ける流体の流路断面積は流体が左側の室から右側の室へ流れるときよりもより大きくなる。そのため、流体はより早く左側の室に戻ることができる。この構成は単方向バルブのように作動する。
【００２０】
図４に示すように、制動要素１０には１又はそれ以上の同様の制動孔１０'を設けることができる。支柱２を弾性中空チューブ１に対して相対的に回転させると、抵抗力調整部材５は分割部材４に対して相対的に回転する。抵抗力調整部材５が異なった角度に回転すると、異なった数の制動孔１０'が抵抗力調整部材５によって塞がれる。従って、流体が左側の室から右側の室へ移動する時、抵抗力調整部材５の位置を異ならせることにより鍛錬器の抵抗力を異ならせることができるようになる。従って、支柱２を回転させることにより鍛錬器の抵抗力を変化させることができる。
【００２１】
この鍛錬器は使用者によって異なる抵抗力を提供することができる。膣筋肉が強くなると、使用者は鍛錬のためにより強い抵抗力を選択できる。より強い抵抗力はより強い筋肉とするのに役立つ。右側の室の流体は使用者の手で右側の室を収縮させることにより左側の室へ戻すことができる。
【実施例２】
【００２２】
実施例２の鍛錬器が図５及び図６に示されている。弾性中空チューブ１１と支柱１３とは、支柱１３の右端で接着剤により固定されている。弾性体１２、１４はそれぞれ４つの半楕円状部材から構成され、外観がラグビーボール状の形状となっている。弾性体はゴムで作製することができる。支柱１３は弾性体１２及び１４の中央部を通って延びている。この実施例では鍛錬器の抵抗力は二つの弾性体１２、１４の弾性変形によって生じる。
【符号の説明】
【００２４】
１、１１    弾性中空チューブ
２、１３    支柱
３、６、９    リテイナー
４    分割部材
５    抵抗力調整部材
７    蓋部材
８    シール
１０    制動要素
１２、１４    半楕円状弾性体
【図１】
0004761469.tif 000002
【図２】
0004761469.tif 000003
【図３】
0004761469.tif 000004
【図４】
0004761469.tif 000005
【図５】
0004761469.tif 000006
【図６】
0004761469.tif 000007